(57)【要約】【課題】場所ごとおよびユーザごとのコンテンツをユーザのもつ端末で再生できしかもそれが同一の場所にいる複数のユーザの端末でも可能でありしかも各場所に設けられたトランシーバの通信帯域を節約できるコンテンツ再生システムを提供する。【解決手段】サーバ２は、トランシーバ１のアドレスに対応づけられたコンテンツ情報を読み出し、コンテンツ情報内のコンテンツＩＤとバージョン情報とが、端末３の端末ＩＤに対応づけられていない場合、コンテンツ情報をトランシーバ１に送信する。このコンテンツ情報内のコンテンツは、端末３で再生される。一方、端末ＩＤに対応づけられている場合、コンテンツＩＤと再生命令を送信する。このコンテンツＩＤに対応づけられて端末３に記憶されたコンテンツが再生される。【選択図】図１
2009224837.tif 000002
【特許請求の範囲】
【請求項１】
複数のユーザの身につけられて使用される端末と、複数の場所ごとに設けられたトランシーバと、当該トランシーバごとに同じ場所に設けられた電極と、再生可能なコンテンツを記憶したサーバとを備え、
前記サーバは、
再生可能な複数のコンテンツのそれぞれにつき、コンテンツを示すコンテンツＩＤと当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、
前記端末に記憶されたコンテンツを示すコンテンツＩＤが当該端末を示す端末ＩＤに対応づけて記憶される端末情報データベースと、
いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤを、当該端末ＩＤに対応づけ、対応づけられていると判定された場合、当該端末ＩＤと当該コンテンツ情報内のコンテンツＩＤと再生命令とを当該アドレスを宛先として送信する制御部とを備え、
前記各トランシーバは、
トランシーバの場所を訪れた前記ユーザの身につけられた前記端末の端末ＩＤと当該ユーザの属性ＩＤとに基づく電圧が、当該端末の電極に印加され、当該ユーザと大地との間に電界が生じたとき、当該ユーザが同じ場所の電極に容量結合していることで、当該電界の一部が経由する当該同じ場所の電極の電圧により、当該端末ＩＤと当該属性ＩＤとを検出する検出回路と、
当該端末ＩＤと当該属性ＩＤと当該トランシーバのアドレスとを前記サーバに送信する制御部と、
前記サーバから当該トランシーバのアドレスを宛先として送信されたものに応じた波形の電圧を同じ場所の電極に印加する発振回路とを備え、
前記端末は、
前記サーバから送信されたコンテンツのコンテンツＩＤと当該コンテンツとを含むコンテンツ情報が記憶されるコンテンツキャッシュデータベースと、
電極と、
当該端末の端末ＩＤが記憶される端末ＩＤ記憶部と、
当該端末のユーザの属性ＩＤが記憶される属性ＩＤ記憶部と、
当該端末ＩＤと当該属性ＩＤとに応じた波形の電圧を当該端末の電極に印加する発振回路と、
当該端末を身につけたユーザが訪れた場所のトランシーバにより送信されるものに基づく電圧が、当該場所の電極に印加され、当該ユーザと大地との間に電界が生じたとき、当該ユーザが当該端末の電極に容量結合していることで、当該電界の一部が経由する当該電極の電圧により、当該送信されるもの検出する検出回路と、
前記検出回路により端末ＩＤとコンテンツ情報とが検出され、当該端末ＩＤが前記端末ＩＤ記憶部に記憶されたものである場合、当該コンテンツ情報を前記コンテンツキャッシュデータベースに記憶させ、当該コンテンツ情報内のコンテンツを再生させる一方、前記検出回路により端末ＩＤとコンテンツＩＤと再生命令とが検出され、当該端末ＩＤが前記端末ＩＤ記憶部に記憶されたものである場合、当該コンテンツＩＤを含むコンテンツ情報内のコンテンツを前記コンテンツキャッシュデータベースから読み出して再生させる制御部と
を備えることを特徴とするコンテンツ再生システム。
【請求項２】
前記サーバは、
再生可能な複数のコンテンツのそれぞれにつき、コンテンツを示すコンテンツＩＤと当該コンテンツのバージョン情報と当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、
前記端末に記憶されたコンテンツを示すコンテンツＩＤとバージョン情報とが当該端末を示す端末ＩＤに対応づけて記憶される端末情報データベースと、
いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤとバージョン情報とが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤとバージョン情報とを、当該端末ＩＤに対応づけ、対応づけられていると判定された場合、当該端末ＩＤと当該コンテンツ情報内のコンテンツＩＤと再生命令とを当該アドレスを宛先として送信する制御部と
とを備えることを特徴とする請求項１記載のコンテンツ再生システム。
【請求項３】
前記コンテンツデータベースは、同一のアドレスに対応づけられたコンテンツ情報である警報命令を含み、
前記サーバの制御部は、当該警報命令を読み出した場合、端末ＩＤと当該警報命令とを当該アドレスを宛先として送信し、
前記端末の制御部は、当該端末ＩＤと警報命令とが検出され、当該端末ＩＤが端末ＩＤ記憶部に記憶されたものである場合、当該端末のユーザに警報を与えるように動作する
ことを特徴とする請求項１または２記載のコンテンツ再生システム。
【請求項４】
前記サーバは、
トランシーバに送信した端末ＩＤとコンテンツＩＤとタイムスタンプを含む履歴情報が記憶される履歴データベースを備え、
前記サーバの制御部は、トランシーバに送信した端末ＩＤとコンテンツＩＤとタイムスタンプを含む履歴情報を前記履歴データベースに記憶させる
ことを特徴とする請求項１ないし３のいずれかに記載のコンテンツ再生システム。
【請求項５】
複数のユーザの身につけられて使用される端末と、複数の場所ごとに設けられたトランシーバと、当該トランシーバごとに同じ場所に設けられた電極と、再生可能なコンテンツを記憶したサーバとを備えるコンテンツ再生システムにおけるコンテンツ再生方法であって、
前記サーバは、
再生可能な複数のコンテンツのそれぞれにつき、コンテンツを示すコンテンツＩＤと当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、
前記端末に記憶されたコンテンツを示すコンテンツＩＤが当該端末を示す端末ＩＤに対応づけて記憶される端末情報データベースとを備え、
前記端末は、
前記サーバから送信されたコンテンツのコンテンツＩＤと当該コンテンツとを含むコンテンツ情報が記憶されるコンテンツキャッシュデータベースと、
電極と、
当該端末の端末ＩＤが記憶される端末ＩＤ記憶部と、
当該端末のユーザの属性ＩＤが記憶される属性ＩＤ記憶部とを備え、
コンテンツ再生方法は、
トランシーバの場所を訪れた前記ユーザの身につけられた前記端末の発振回路が、当該端末ＩＤと当該属性ＩＤとに応じた波形の電圧を当該端末の電極に印加し、
当該トランシーバの検出回路が、当該端末ＩＤと当該ユーザの属性ＩＤとに基づく電圧が、当該端末の電極に印加され、当該ユーザと大地との間に電界が生じたとき、当該ユーザが同じ場所の電極に容量結合していることで、当該電界の一部が経由する当該同じ場所の電極の電圧により、当該端末ＩＤと当該属性ＩＤとを検出し、
当該トランシーバの制御部が、当該端末ＩＤと当該属性ＩＤと当該トランシーバのアドレスとを前記サーバに送信し、
前記サーバの制御部が、前記コンテンツデータベースから当該アドレスと当該属性ＩＤとに対応づけられたコンテンツ情報を読み出し、前記端末情報データベースにおいて、当該コンテンツ情報内のコンテンツＩＤが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤを、当該端末ＩＤに対応づけ、対応づけられていると判定された場合、当該端末ＩＤと当該コンテンツ情報内のコンテンツＩＤと再生命令とを当該アドレスを宛先として送信し、
当該トランシーバの発振回路が、当該送信されたものに応じた波形の電圧を同じ場所の電極に印加し、
当該端末の検出回路が、当該トランシーバにより送信されるものに基づく電圧が、当該場所の電極に印加され、当該ユーザと大地との間に電界が生じたとき、当該ユーザが当該端末の電極に容量結合していることで、当該電界の一部が経由する当該電極の電圧により、当該送信されるもの検出し、
当該端末の制御部が、前記検出回路により端末ＩＤとコンテンツ情報とが検出され、当該端末ＩＤが前記端末ＩＤ記憶部に記憶されたものである場合、当該コンテンツ情報を前記コンテンツキャッシュデータベースに記憶させ、当該コンテンツ情報内のコンテンツを再生させる一方、前記検出回路により端末ＩＤとコンテンツＩＤと再生命令とが検出され、当該端末ＩＤが前記端末ＩＤ記憶部に記憶されたものである場合、当該コンテンツＩＤを含むコンテンツ情報内のコンテンツを前記コンテンツキャッシュデータベースから読み出して再生させる
ものであることを特徴とするコンテンツ再生方法。
【請求項６】
前記サーバは、
再生可能な複数のコンテンツのそれぞれにつき、コンテンツを示すコンテンツＩＤと当該コンテンツのバージョン情報と当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、
前記端末に記憶されたコンテンツを示すコンテンツＩＤとバージョン情報とが当該端末を示す端末ＩＤに対応づけて記憶される端末情報データベースとを備え、
コンテンツ再生方法は、
前記サーバの制御部が、当該コンテンツデータベースからアドレスと属性ＩＤとに対応づけられたコンテンツ情報を読み出し、前記端末情報データベースにおいて、当該コンテンツ情報内のコンテンツＩＤとバージョン情報とが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤとバージョン情報とを、当該端末ＩＤに対応づけ、対応づけられていると判定された場合、当該端末ＩＤと当該コンテンツ情報内のコンテンツＩＤと再生命令とを当該アドレスを宛先として送信する
ものであることを特徴とする請求項５記載のコンテンツ再生方法。
【請求項７】
複数のユーザの身につけられて使用される端末と、複数の場所ごとに設けられたトランシーバと、当該トランシーバごとに同じ場所に設けられた電極とを備えるコンテンツ再生システムにおいて再生可能なコンテンツを記憶したサーバであって、
前記各トランシーバは、
トランシーバの場所を訪れた前記ユーザの身につけられた前記端末の端末ＩＤと当該ユーザの属性ＩＤとに基づく電圧が、当該端末の電極に印加され、当該ユーザと大地との間に電界が生じたとき、当該ユーザが同じ場所の電極に容量結合していることで、当該電界の一部が経由する当該同じ場所の電極の電圧により、当該端末ＩＤと当該属性ＩＤとを検出する検出回路と、
当該端末ＩＤと当該属性ＩＤと当該トランシーバのアドレスとを前記サーバに送信する制御部と、
前記サーバから当該トランシーバのアドレスを宛先として送信されたものに応じた波形の電圧を同じ場所の電極に印加する発振回路とを備え、
前記端末は、
前記サーバから送信されたコンテンツのコンテンツＩＤと当該コンテンツとを含むコンテンツ情報が記憶されるコンテンツキャッシュデータベースと、
電極と、
当該端末の端末ＩＤが記憶される端末ＩＤ記憶部と、
当該端末のユーザの属性ＩＤが記憶される属性ＩＤ記憶部と、
当該端末ＩＤと当該属性ＩＤとに応じた波形の電圧を当該端末の電極に印加する発振回路と、
当該端末を身につけたユーザが訪れた場所のトランシーバにより送信されるものに基づく電圧が、当該場所の電極に印加され、当該ユーザと大地との間に電界が生じたとき、当該ユーザが当該端末の電極に容量結合していることで、当該電界の一部が経由する当該電極の電圧により、当該送信されるもの検出する検出回路と、
前記検出回路により端末ＩＤとコンテンツ情報とが検出され、当該端末ＩＤが前記端末ＩＤ記憶部に記憶されたものである場合、当該コンテンツ情報を前記コンテンツキャッシュデータベースに記憶させ、当該コンテンツ情報内のコンテンツを再生させる一方、前記検出回路により端末ＩＤとコンテンツＩＤと再生命令とが検出され、当該端末ＩＤが前記端末ＩＤ記憶部に記憶されたものである場合、当該コンテンツＩＤを含むコンテンツ情報内のコンテンツを前記コンテンツキャッシュデータベースから読み出して再生させる制御部と
を備え
前記サーバは、
再生可能な複数のコンテンツのそれぞれにつき、コンテンツを示すコンテンツＩＤと当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、
前記端末に記憶されたコンテンツを示すコンテンツＩＤが当該端末を示す端末ＩＤに対応づけて記憶される端末情報データベースと、
いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤを、当該端末ＩＤに対応づけ、対応づけられていると判定された場合、当該端末ＩＤと当該コンテンツ情報内のコンテンツＩＤと再生命令とを当該アドレスを宛先として送信する制御部と
を備えることを特徴とするサーバ。
【請求項８】
前記サーバは、
再生可能な複数のコンテンツのそれぞれにつき、コンテンツを示すコンテンツＩＤと当該コンテンツのバージョン情報と当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、
前記端末に記憶されたコンテンツを示すコンテンツＩＤとバージョン情報とが当該端末を示す端末ＩＤに対応づけて記憶される端末情報データベースと、
いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤとバージョン情報とが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤとバージョン情報とを、当該端末ＩＤに対応づけ、対応づけられていると判定された場合、当該端末ＩＤと当該コンテンツ情報内のコンテンツＩＤと再生命令とを当該アドレスを宛先として送信する制御部と
とを備えることを特徴とする請求項７記載のサーバ。
【請求項９】
前記サーバは、
トランシーバに送信した端末ＩＤとコンテンツＩＤとタイムスタンプを含む履歴情報が記憶される履歴データベースを備え、
前記サーバの制御部は、トランシーバに送信した端末ＩＤとコンテンツＩＤとタイムスタンプを含む履歴情報を前記履歴データベースに記憶させる
ことを特徴とする請求項７または８記載のサーバ。
【請求項１０】
複数のユーザの身につけられて使用される端末と、複数の場所ごとに設けられたトランシーバと、当該トランシーバごとに同じ場所に設けられた電極と、再生可能なコンテンツを記憶したサーバとを備えるコンテンツ再生システムにおける端末であって、
前記サーバは、
再生可能な複数のコンテンツのそれぞれにつき、コンテンツを示すコンテンツＩＤと当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、
前記端末に記憶されたコンテンツを示すコンテンツＩＤが当該端末を示す端末ＩＤに対応づけて記憶される端末情報データベースと、
いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤを、当該端末ＩＤに対応づけ、対応づけられていると判定された場合、当該端末ＩＤと当該コンテンツ情報内のコンテンツＩＤと再生命令とを当該アドレスを宛先として送信する制御部とを備え  前記各トランシーバは、
トランシーバの場所を訪れた前記ユーザの身につけられた前記端末の端末ＩＤと当該ユーザの属性ＩＤとに基づく電圧が、当該端末の電極に印加され、当該ユーザと大地との間に電界が生じたとき、当該ユーザが同じ場所の電極に容量結合していることで、当該電界の一部が経由する当該同じ場所の電極の電圧により、当該端末ＩＤと当該属性ＩＤとを検出する検出回路と、
当該端末ＩＤと当該属性ＩＤと当該トランシーバのアドレスとを前記サーバに送信する制御部と、
前記サーバから当該トランシーバのアドレスを宛先として送信されたものに応じた波形の電圧を同じ場所の電極に印加する発振回路とを備え、
前記端末は、
前記サーバから送信されたコンテンツのコンテンツＩＤと当該コンテンツとを含むコンテンツ情報が記憶されるコンテンツキャッシュデータベースと、
電極と、
当該端末の端末ＩＤが記憶される端末ＩＤ記憶部と、
当該端末のユーザの属性ＩＤが記憶される属性ＩＤ記憶部と、
当該端末ＩＤと当該属性ＩＤとに応じた波形の電圧を当該端末の電極に印加する発振回路と、
当該端末を身につけたユーザが訪れた場所のトランシーバにより送信されるものに基づく電圧が、当該場所の電極に印加され、当該ユーザと大地との間に電界が生じたとき、当該ユーザが当該端末の電極に容量結合していることで、当該電界の一部が経由する当該電極の電圧により、当該送信されるもの検出する検出回路と、
前記検出回路により端末ＩＤとコンテンツ情報とが検出され、当該端末ＩＤが前記端末ＩＤ記憶部に記憶されたものである場合、当該コンテンツ情報を前記コンテンツキャッシュデータベースに記憶させ、当該コンテンツ情報内のコンテンツを再生させる一方、前記検出回路により端末ＩＤとコンテンツＩＤと再生命令とが検出され、当該端末ＩＤが前記端末ＩＤ記憶部に記憶されたものである場合、当該コンテンツＩＤを含むコンテンツ情報内のコンテンツを前記コンテンツキャッシュデータベースから読み出して再生させる制御部と
を備えることを特徴とする端末。
【発明の詳細な説明】
【技術分野】
【０００１】
本発明は、場所ごとおよびユーザごとのコンテンツをユーザのもつ端末で再生できしかもそれが同一の場所にいる複数のユーザの端末でも可能でありしかも各場所に設けられたトランシーバの通信帯域を節約できるコンテンツ再生システムに関するものである。
【背景技術】
【０００２】
従来にあって、ユーザがもつ無線端末にコンテンツを送信し、それを無線端末が再生する技術がある。例えば、受信エリアを広くしてそのエリアに複数のユーザが入れるようにすることで、複数のユーザがコンテンツを視聴できるようになる。
【非特許文献１】RedTacton、［平成１７年１０月３日検索］、インターネット＜URL： http://www.redtacton.com/jp/info/index.html＞
【発明の開示】
【発明が解決しようとする課題】
【０００３】
しかし、上記の技術は、同一のコンテンツを視聴するにはよいが、ユーザのいる場所ごとにコンテンツを異ならせるのには適さない。また、ユーザごとに、例えば、大人と子供でコンテンツを異ならせるのにも適さない。
【０００４】
例えば、美術館では、展示物ごとにつまり場所ごとにコンテンツを異ならせるのがよい。また、大人には展示物についての詳細な音声コンテンツを、子供にはフレンドリーな口調の音声コンテンツを視聴させるのが好ましい。しかし、上記の技術では、このようなことは行えない。
【０００５】
仮に、展示物の場所にコンテンツ中継のためのトランシーバを設置し、そのトランシーバを介して、その場所にいる複数のユーザの端末にユーザごとのコンテンツを送信し、これらの複数のコンテンツを視聴させることができたとする。
【０００６】
しかし、展示物の場所に複数のユーザが集まり、複数のコンテンツが同時に１つのトランシーバを経由した場合、そのトランシーバが中継できる通信帯域が足りず、コンテンツの音声が途切れたり、再生できない虞がある。
【０００７】
本発明は、上記の課題に鑑みてなされたものであり、その目的とするところは、場所ごとおよびユーザごとのコンテンツをユーザのもつ端末で再生できしかもそれが同一の場所にいる複数のユーザの端末でも可能でありしかも各場所に設けられたトランシーバの通信帯域を節約できるコンテンツ再生システムを提供することにある。
【課題を解決するための手段】
【０００８】
上記の課題を解決するために、請求項１の本発明は、複数のユーザの身につけられて使用される端末と、複数の場所ごとに設けられたトランシーバと、当該トランシーバごとに同じ場所に設けられた電極と、再生可能なコンテンツを記憶したサーバとを備え、前記サーバは、再生可能な複数のコンテンツのそれぞれにつき、コンテンツを示すコンテンツＩＤと当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、前記端末に記憶されたコンテンツを示すコンテンツＩＤが当該端末を示す端末ＩＤに対応づけて記憶される端末情報データベースと、いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤを、当該端末ＩＤに対応づけ、対応づけられていると判定された場合、当該端末ＩＤと当該コンテンツ情報内のコンテンツＩＤと再生命令とを当該アドレスを宛先として送信する制御部とを備え、前記各トランシーバは、トランシーバの場所を訪れた前記ユーザの身につけられた前記端末の端末ＩＤと当該ユーザの属性ＩＤとに基づく電圧が、当該端末の電極に印加され、当該ユーザと大地との間に電界が生じたとき、当該ユーザが同じ場所の電極に容量結合していることで、当該電界の一部が経由する当該同じ場所の電極の電圧により、当該端末ＩＤと当該属性ＩＤとを検出する検出回路と、当該端末ＩＤと当該属性ＩＤと当該トランシーバのアドレスとを前記サーバに送信する制御部と、前記サーバから当該トランシーバのアドレスを宛先として送信されたものに応じた波形の電圧を同じ場所の電極に印加する発振回路とを備え、前記端末は、前記サーバから送信されたコンテンツのコンテンツＩＤと当該コンテンツとを含むコンテンツ情報が記憶されるコンテンツキャッシュデータベースと、電極と、当該端末の端末ＩＤが記憶される端末ＩＤ記憶部と、当該端末のユーザの属性ＩＤが記憶される属性ＩＤ記憶部と、当該端末ＩＤと当該属性ＩＤとに応じた波形の電圧を当該端末の電極に印加する発振回路と、当該端末を身につけたユーザが訪れた場所のトランシーバにより送信されるものに基づく電圧が、当該場所の電極に印加され、当該ユーザと大地との間に電界が生じたとき、当該ユーザが当該端末の電極に容量結合していることで、当該電界の一部が経由する当該電極の電圧により、当該送信されるもの検出する検出回路と、前記検出回路により端末ＩＤとコンテンツ情報とが検出され、当該端末ＩＤが前記端末ＩＤ記憶部に記憶されたものである場合、当該コンテンツ情報を前記コンテンツキャッシュデータベースに記憶させ、当該コンテンツ情報内のコンテンツを再生させる一方、前記検出回路により端末ＩＤとコンテンツＩＤと再生命令とが検出され、当該端末ＩＤが前記端末ＩＤ記憶部に記憶されたものである場合、当該コンテンツＩＤを含むコンテンツ情報内のコンテンツを前記コンテンツキャッシュデータベースから読み出して再生させる制御部とを備えることを特徴とするコンテンツ再生システムをもって解決手段とする。
【０００９】
請求項２の本発明は、前記サーバは、再生可能な複数のコンテンツのそれぞれにつき、コンテンツを示すコンテンツＩＤと当該コンテンツのバージョン情報と当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、前記端末に記憶されたコンテンツを示すコンテンツＩＤとバージョン情報とが当該端末を示す端末ＩＤに対応づけて記憶される端末情報データベースと、いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤとバージョン情報とが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤとバージョン情報とを、当該端末ＩＤに対応づけ、対応づけられていると判定された場合、当該端末ＩＤと当該コンテンツ情報内のコンテンツＩＤと再生命令とを当該アドレスを宛先として送信する制御部ととを備えることを特徴とする請求項１記載のコンテンツ再生システムをもって解決手段とする。
【００１０】
請求項３の本発明は、前記コンテンツデータベースは、同一のアドレスに対応づけられたコンテンツ情報である警報命令を含み、前記サーバの制御部は、当該警報命令を読み出した場合、端末ＩＤと当該警報命令とを当該アドレスを宛先として送信し、前記端末の制御部は、当該端末ＩＤと警報命令とが検出され、当該端末ＩＤが端末ＩＤ記憶部に記憶されたものである場合、当該端末のユーザに警報を与えるように動作することを特徴とする請求項１または２記載のコンテンツ再生システムをもって解決手段とする。
【００１１】
請求項４の本発明は、前記サーバは、トランシーバに送信した端末ＩＤとコンテンツＩＤとタイムスタンプを含む履歴情報が記憶される履歴データベースを備え、前記サーバの制御部は、トランシーバに送信した端末ＩＤとコンテンツＩＤとタイムスタンプを含む履歴情報を前記履歴データベースに記憶させることを特徴とする請求項１ないし３のいずれかに記載のコンテンツ再生システムをもって解決手段とする。
【００１２】
請求項５の本発明は、複数のユーザの身につけられて使用される端末と、複数の場所ごとに設けられたトランシーバと、当該トランシーバごとに同じ場所に設けられた電極と、再生可能なコンテンツを記憶したサーバとを備えるコンテンツ再生システムにおけるコンテンツ再生方法であって、前記サーバは、再生可能な複数のコンテンツのそれぞれにつき、コンテンツを示すコンテンツＩＤと当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、前記端末に記憶されたコンテンツを示すコンテンツＩＤが当該端末を示す端末ＩＤに対応づけて記憶される端末情報データベースとを備え、前記端末は、前記サーバから送信されたコンテンツのコンテンツＩＤと当該コンテンツとを含むコンテンツ情報が記憶されるコンテンツキャッシュデータベースと、電極と、当該端末の端末ＩＤが記憶される端末ＩＤ記憶部と、当該端末のユーザの属性ＩＤが記憶される属性ＩＤ記憶部とを備え、コンテンツ再生方法は、トランシーバの場所を訪れた前記ユーザの身につけられた前記端末の発振回路が、当該端末ＩＤと当該属性ＩＤとに応じた波形の電圧を当該端末の電極に印加し、当該トランシーバの検出回路が、当該端末ＩＤと当該ユーザの属性ＩＤとに基づく電圧が、当該端末の電極に印加され、当該ユーザと大地との間に電界が生じたとき、当該ユーザが同じ場所の電極に容量結合していることで、当該電界の一部が経由する当該同じ場所の電極の電圧により、当該端末ＩＤと当該属性ＩＤとを検出し、当該トランシーバの制御部が、当該端末ＩＤと当該属性ＩＤと当該トランシーバのアドレスとを前記サーバに送信し、前記サーバの制御部が、前記コンテンツデータベースから当該アドレスと当該属性ＩＤとに対応づけられたコンテンツ情報を読み出し、前記端末情報データベースにおいて、当該コンテンツ情報内のコンテンツＩＤが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤを、当該端末ＩＤに対応づけ、対応づけられていると判定された場合、当該端末ＩＤと当該コンテンツ情報内のコンテンツＩＤと再生命令とを当該アドレスを宛先として送信し、当該トランシーバの発振回路が、当該送信されたものに応じた波形の電圧を同じ場所の電極に印加し、当該端末の検出回路が、当該トランシーバにより送信されるものに基づく電圧が、当該場所の電極に印加され、当該ユーザと大地との間に電界が生じたとき、当該ユーザが当該端末の電極に容量結合していることで、当該電界の一部が経由する当該電極の電圧により、当該送信されるもの検出し、当該端末の制御部が、前記検出回路により端末ＩＤとコンテンツ情報とが検出され、当該端末ＩＤが前記端末ＩＤ記憶部に記憶されたものである場合、当該コンテンツ情報を前記コンテンツキャッシュデータベースに記憶させ、当該コンテンツ情報内のコンテンツを再生させる一方、前記検出回路により端末ＩＤとコンテンツＩＤと再生命令とが検出され、当該端末ＩＤが前記端末ＩＤ記憶部に記憶されたものである場合、当該コンテンツＩＤを含むコンテンツ情報内のコンテンツを前記コンテンツキャッシュデータベースから読み出して再生させるものであることを特徴とするコンテンツ再生方法をもって解決手段とする。
【００１３】
請求項６の本発明は、前記サーバは、再生可能な複数のコンテンツのそれぞれにつき、コンテンツを示すコンテンツＩＤと当該コンテンツのバージョン情報と当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、前記端末に記憶されたコンテンツを示すコンテンツＩＤとバージョン情報とが当該端末を示す端末ＩＤに対応づけて記憶される端末情報データベースとを備え、コンテンツ再生方法は、前記サーバの制御部が、当該コンテンツデータベースからアドレスと属性ＩＤとに対応づけられたコンテンツ情報を読み出し、前記端末情報データベースにおいて、当該コンテンツ情報内のコンテンツＩＤとバージョン情報とが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤとバージョン情報とを、当該端末ＩＤに対応づけ、対応づけられていると判定された場合、当該端末ＩＤと当該コンテンツ情報内のコンテンツＩＤと再生命令とを当該アドレスを宛先として送信するものであることを特徴とする請求項５記載のコンテンツ再生方法をもって解決手段とする。
【００１４】
請求項７の本発明は、複数のユーザの身につけられて使用される端末と、複数の場所ごとに設けられたトランシーバと、当該トランシーバごとに同じ場所に設けられた電極とを備えるコンテンツ再生システムにおいて再生可能なコンテンツを記憶したサーバであって、前記各トランシーバは、トランシーバの場所を訪れた前記ユーザの身につけられた前記端末の端末ＩＤと当該ユーザの属性ＩＤとに基づく電圧が、当該端末の電極に印加され、当該ユーザと大地との間に電界が生じたとき、当該ユーザが同じ場所の電極に容量結合していることで、当該電界の一部が経由する当該同じ場所の電極の電圧により、当該端末ＩＤと当該属性ＩＤとを検出する検出回路と、当該端末ＩＤと当該属性ＩＤと当該トランシーバのアドレスとを前記サーバに送信する制御部と、前記サーバから当該トランシーバのアドレスを宛先として送信されたものに応じた波形の電圧を同じ場所の電極に印加する発振回路とを備え、前記端末は、前記サーバから送信されたコンテンツのコンテンツＩＤと当該コンテンツとを含むコンテンツ情報が記憶されるコンテンツキャッシュデータベースと、電極と、当該端末の端末ＩＤが記憶される端末ＩＤ記憶部と、当該端末のユーザの属性ＩＤが記憶される属性ＩＤ記憶部と、当該端末ＩＤと当該属性ＩＤとに応じた波形の電圧を当該端末の電極に印加する発振回路と、当該端末を身につけたユーザが訪れた場所のトランシーバにより送信されるものに基づく電圧が、当該場所の電極に印加され、当該ユーザと大地との間に電界が生じたとき、当該ユーザが当該端末の電極に容量結合していることで、当該電界の一部が経由する当該電極の電圧により、当該送信されるもの検出する検出回路と、前記検出回路により端末ＩＤとコンテンツ情報とが検出され、当該端末ＩＤが前記端末ＩＤ記憶部に記憶されたものである場合、当該コンテンツ情報を前記コンテンツキャッシュデータベースに記憶させ、当該コンテンツ情報内のコンテンツを再生させる一方、前記検出回路により端末ＩＤとコンテンツＩＤと再生命令とが検出され、当該端末ＩＤが前記端末ＩＤ記憶部に記憶されたものである場合、当該コンテンツＩＤを含むコンテンツ情報内のコンテンツを前記コンテンツキャッシュデータベースから読み出して再生させる制御部とを備え前記サーバは、再生可能な複数のコンテンツのそれぞれにつき、コンテンツを示すコンテンツＩＤと当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、前記端末に記憶されたコンテンツを示すコンテンツＩＤが当該端末を示す端末ＩＤに対応づけて記憶される端末情報データベースと、いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤを、当該端末ＩＤに対応づけ、対応づけられていると判定された場合、当該端末ＩＤと当該コンテンツ情報内のコンテンツＩＤと再生命令とを当該アドレスを宛先として送信する制御部とを備えることを特徴とするサーバをもって解決手段とする。
【００１５】
請求項８の本発明は、前記サーバは、再生可能な複数のコンテンツのそれぞれにつき、コンテンツを示すコンテンツＩＤと当該コンテンツのバージョン情報と当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、前記端末に記憶されたコンテンツを示すコンテンツＩＤとバージョン情報とが当該端末を示す端末ＩＤに対応づけて記憶される端末情報データベースと、いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤとバージョン情報とが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤとバージョン情報とを、当該端末ＩＤに対応づけ、対応づけられていると判定された場合、当該端末ＩＤと当該コンテンツ情報内のコンテンツＩＤと再生命令とを当該アドレスを宛先として送信する制御部ととを備えることを特徴とする請求項７記載のサーバをもって解決手段とする。
【００１６】
請求項９の本発明は、前記サーバは、トランシーバに送信した端末ＩＤとコンテンツＩＤとタイムスタンプを含む履歴情報が記憶される履歴データベースを備え、前記サーバの制御部は、トランシーバに送信した端末ＩＤとコンテンツＩＤとタイムスタンプを含む履歴情報を前記履歴データベースに記憶させることを特徴とする請求項７または８記載のサーバをもって解決手段とする。
【００１７】
請求項１０の本発明は、複数のユーザの身につけられて使用される端末と、複数の場所ごとに設けられたトランシーバと、当該トランシーバごとに同じ場所に設けられた電極と、再生可能なコンテンツを記憶したサーバとを備えるコンテンツ再生システムにおける端末であって、前記サーバは、再生可能な複数のコンテンツのそれぞれにつき、コンテンツを示すコンテンツＩＤと当該コンテンツとを含むコンテンツ情報が、当該コンテンツの再生に適した場所のトランシーバを示すアドレスと当該コンテンツに適したユーザの属性を示す属性ＩＤとに対応づけられて記憶されるコンテンツデータベースと、前記端末に記憶されたコンテンツを示すコンテンツＩＤが当該端末を示す端末ＩＤに対応づけて記憶される端末情報データベースと、いずれかの前記ユーザが訪れた場所のトランシーバから、当該ユーザの身につけられた前記端末の端末ＩＤと当該ユーザの属性ＩＤと当該トランシーバのアドレスとが送信された場合、前記コンテンツデータベースから当該アドレスと当該属性ＩＤとに対応づけられたコンテンツ情報を読み出し、前記端末情報データベースにおいて、当該コンテンツ情報内のコンテンツＩＤが、当該端末ＩＤに対応づけられているか否かを判定し、対応づけられていないと判定された場合、当該端末ＩＤと当該コンテンツ情報とを当該アドレスを宛先として送信し、前記端末情報データベースにおいて、当該コンテンツＩＤを、当該端末ＩＤに対応づけ、対応づけられていると判定された場合、当該端末ＩＤと当該コンテンツ情報内のコンテンツＩＤと再生命令とを当該アドレスを宛先として送信する制御部とを備え前記各トランシーバは、トランシーバの場所を訪れた前記ユーザの身につけられた前記端末の端末ＩＤと当該ユーザの属性ＩＤとに基づく電圧が、当該端末の電極に印加され、当該ユーザと大地との間に電界が生じたとき、当該ユーザが同じ場所の電極に容量結合していることで、当該電界の一部が経由する当該同じ場所の電極の電圧により、当該端末ＩＤと当該属性ＩＤとを検出する検出回路と、当該端末ＩＤと当該属性ＩＤと当該トランシーバのアドレスとを前記サーバに送信する制御部と、前記サーバから当該トランシーバのアドレスを宛先として送信されたものに応じた波形の電圧を同じ場所の電極に印加する発振回路とを備え、前記端末は、前記サーバから送信されたコンテンツのコンテンツＩＤと当該コンテンツとを含むコンテンツ情報が記憶されるコンテンツキャッシュデータベースと、電極と、当該端末の端末ＩＤが記憶される端末ＩＤ記憶部と、当該端末のユーザの属性ＩＤが記憶される属性ＩＤ記憶部と、当該端末ＩＤと当該属性ＩＤとに応じた波形の電圧を当該端末の電極に印加する発振回路と、当該端末を身につけたユーザが訪れた場所のトランシーバにより送信されるものに基づく電圧が、当該場所の電極に印加され、当該ユーザと大地との間に電界が生じたとき、当該ユーザが当該端末の電極に容量結合していることで、当該電界の一部が経由する当該電極の電圧により、当該送信されるもの検出する検出回路と、前記検出回路により端末ＩＤとコンテンツ情報とが検出され、当該端末ＩＤが前記端末ＩＤ記憶部に記憶されたものである場合、当該コンテンツ情報を前記コンテンツキャッシュデータベースに記憶させ、当該コンテンツ情報内のコンテンツを再生させる一方、前記検出回路により端末ＩＤとコンテンツＩＤと再生命令とが検出され、当該端末ＩＤが前記端末ＩＤ記憶部に記憶されたものである場合、当該コンテンツＩＤを含むコンテンツ情報内のコンテンツを前記コンテンツキャッシュデータベースから読み出して再生させる制御部とを備えることを特徴とする端末をもって解決手段とする。
【発明の効果】
【００１８】
本発明によれば、場所ごとおよびユーザごとのコンテンツをユーザのもつ端末で再生できしかもそれが同一の場所にいる複数のユーザの端末でも可能でありしかも各場所に設けられたトランシーバの通信帯域を節約できる。
【発明を実施するための最良の形態】
【００１９】
以下、本発明に係るコンテンツ再生システムとコンテンツ再生方法の実施の形態を図面を参照して説明する。
【００２０】
図１は、本実施の形態に係るコンテンツ再生システムの構成図である。
【００２１】
例えば、美術館には、複数の展示物Ｅが展示され、各展示物Ｅの前の床に電極Ｐが設けられている。例えば特に重要な展示物Ｅに限っては、その展示物Ｅの柵１００にも電極Ｐが設けられている。
【００２２】
各電極Ｐは、同じ場所のトランシーバ１に導線で接続され、各トランシーバ１は、構内ネットワークを介して、同一のサーバ２に接続されている。トランシーバ１は、例えば床下に配置される。サーバ２は、例えば、各展示物Ｅから離れた場所に設置される。
【００２３】
美術館には、複数の端末３が用意され、美術館を訪れたユーザＵに１つづつ端末３が渡され、ユーザＵは端末３を身につけ、端末３が再生する音声のコンテンツをヘッドホン４で聴くようになっている。
【００２４】
図２は、トランシーバ１の構成図である。
【００２５】
トランシーバ１は、トランシーバ１を示すアドレスを記憶するメモリ１１と、アドレスの読み出しやそのような情報の送信制御を行う制御部１２と、情報送信の際に動作する発振回路１３と、送信された情報を検出する検出回路１４を備える。発振回路１３は、送信すべき情報に基づく電圧を電極Ｐに印加するようになっている。検出回路１４は、電極Ｐに印加された電圧により情報を検出するようになっている。以下、トランシーバ１を示すアドレスを単に「アドレス」という。
【００２６】
図３は、サーバ２の構成図である。
【００２７】
サーバ２は、展示物についての音声のコンテンツ等が記憶されたコンテンツデータベース２１と、各端末３についての情報が記憶される端末情報データベース２２と、コンテンツを送信した履歴が記憶される履歴データベース２３と、これらデータベースの読み書きや情報の送受信を行う制御部２４とを備える。以下の説明および図面では、データベースを「ＤＢ」と略す。
【００２８】
コンテンツＤＢ２１には、コンテンツを示すコンテンツＩＤ（図のＧＡＥなど）とバージョン情報（図の１．０など）と当該コンテンツとからなる「コンテンツ情報」が記憶されている。各コンテンツ情報は、コンテンツを再生すべき場所のトランシーバ１を示すアドレスに対応づけられている。また、各コンテンツ情報は、コンテンツに適したユーザＵの属性を示す属性識別情報に対応づけられている。ただし、柵１００の電極Ｐに接続されたトランシーバ１を示すアドレスに対応づけられたコンテンツ情報は、単に警報を発するべき旨を示す「警報命令」となっている。以下の説明および図面では、識別情報を「ＩＤ」と略すこととする。属性ＩＤは、例えば、大人と子供を区別でき、しかも、日本語を理解できるユーザと英語しか理解できないユーザを区別できるようになっている。なお、年齢や年齢層などを区別できるようにしてもよい。
【００２９】
端末情報ＤＢ２２には、各端末３を一意に示す端末ＩＤに対応づけて、端末３に記憶されたコンテンツのコンテンツＩＤとバージョン情報とが記憶されるようになっている。  履歴ＤＢ２３には、サーバ２で生じた事象につき、その事象を示す履歴情報が時系列に記憶されるようになっている。例えば、コンテンツ等を送信した事象を示す履歴情報は、送信先の端末ＩＤ、コンテンツＩＤ、バージョン情報、タイムスタンプ（送信時刻情報）を含む。
【００３０】
図４（ａ）は、各端末３の構成図である。
【００３１】
端末３は、各種情報を記憶するメモリ３１と、各種情報の読み書きや送信制御やコンテンツ再生を行う制御部３２と、情報送信の際に動作する発振回路３３と、情報の送受信に使用される電極３４と、送信された情報を検出する検出回路３５を備える。
【００３２】
図４（ｂ）は、メモリ３１の構成図である。
【００３３】
メモリ３１は、コンテンツ情報が記憶されるコンテンツキャッシュＤＢ３１１と、端末ＩＤが記憶される端末ＩＤ記憶部３１２と、属性ＩＤが記憶される属性ＩＤ憶部３１３を備える。
【００３４】
コンテンツキャッシュＤＢ３１１には、サーバ２から送信された各コンテンツ情報が記憶されるようになっている。
【００３５】
端末ＩＤ記憶部３１２には、端末３の端末ＩＤが記憶されている。属性ＩＤ記憶部３１３には、端末３を使用するユーザＵの属性ＩＤが記憶されるようになっている。
【００３６】
（本実施の形態に係るコンテンツ再生方法）
図５は、本実施の形態に係るコンテンツ再生方法のシーケンス図である。
【００３７】
ユーザＵが美術館を訪れると、用意された複数の端末３の１つが無作為に選択され、その端末３の属性ＩＤ記憶部３１３に対し、訪れたユーザＵの属性を示す属性ＩＤが書き込まれ（ステップＳ１）、その端末３とヘッドホン４がユーザＵに渡される。
【００３８】
ユーザＵは、ヘッドホン４を装着し、そのコードを端末３に接続し、端末３はポケットなどに入れる。
【００３９】
各トランシーバ１は、常にポーリングを行っており、つまり、制御部１２は、ポーリングしていることを示す情報（ポーリング情報という）に基づいて、発振回路３３を発振させる。これにより、ポーリング情報に応じた波形の電圧が電極Ｐに印加される。したがい、ユーザＵが、電極Ｐの上に立つと、電極Ｐは、ユーザＵに容量結合し、ユーザＵと大地との間に電界が生じる。電界の一部は、端末３の電極３４を経由することで、電極３４に同じ波形の電圧が印加される。端末３の検出回路３５は、電極３４に印加された電圧の波形によりポーリング情報を再生し、制御部３２に与える。制御部３２は、それが既知のポーリング情報であったならば、端末ＩＤと属性ＩＤをトランシーバ１に送信する（ステップＳ１１）。ここでは、端末３の制御部３２が、端末ＩＤ記憶部３１２から端末ＩＤ、属性ＩＤ記憶部３１３から属性ＩＤをそれぞれ読み出し、端末ＩＤと属性ＩＤとに基づいて、発振回路３３を発振させる。これにより、端末ＩＤと属性ＩＤとに応じた波形の電圧が電極３４に印加される。電極３４は、ポケットの中などで、ユーザＵに対して容量結合し、ユーザＵと大地との間に電界が生じる。電界の一部は、電極Ｐを経由することで、電極Ｐに同じ波形の電圧が印加される。トランシーバ１の検出回路１４は、電極Ｐに印加された電圧の波形により端末ＩＤと属性ＩＤを再生し、制御部１２に与える。
【００４０】
トランシーバ１は、送信された端末ＩＤと属性ＩＤとアドレスとをサーバ２に送信する（ステップＳ１３）。ここでは、制御部１２が、メモリ１１からアドレスを読み出し、検出回路１４から与えられた端末ＩＤと属性ＩＤとともに、サーバ２に送信する。
【００４１】
サーバ２では、制御部２４が、コンテンツＤＢ２１からアドレスに対応づけられたコンテンツ情報を読み出し、これが「警報命令」か否かを判定する（ステップＳ２１）。
【００４２】
ＮＯと判定された場合、制御部２４は、端末情報ＤＢ２２において、読み出したコンテンツ情報内のコンテンツＩＤとバージョン情報とが、送信された端末ＩＤに対応づけられているか否かを判定する（ステップＳ２３）。ＮＯと判定された場合、制御部２４は、送信された端末ＩＤとコンテンツ情報（コンテンツ／コンテンツＩＤ／バージョン情報）を、送信されたアドレスを宛先として、つまり、元のトランシーバ１に送信する（ステップＳ２５）。
【００４３】
また、制御部２４は、端末ＩＤとコンテンツ情報を送信したという事象を示す履歴情報を履歴ＤＢ２３に記憶させる。ここでは、制御部２４は、送信した端末ＩＤと、送信したコンテンツ情報内のコンテンツＩＤとバージョン情報とタイムスタンプとを含む履歴情報を履歴ＤＢ２３に記憶させる。こうして履歴情報を記憶させることで、サーバ２で生じた事象を後から知ることができる。
【００４４】
また、制御部２４は、端末情報ＤＢ２２を更新する（ステップＳ２７）。ここでは、制御部２４は、端末情報ＤＢ２２において、読み出したコンテンツ情報内のコンテンツＩＤがあれば、そのコンテンツＩＤとバージョン情報とを端末情報ＤＢ２２から削除する。その後、あるいは、削除しない場合であっても、制御部２４は、端末情報ＤＢ２２において、読み出したコンテンツ情報内のコンテンツＩＤとバージョン情報とを、送信された端末ＩＤに対応づける。つまり、制御部２４は、バージョン情報を新しくする。
【００４５】
一方、トランシーバ１は、送信された端末ＩＤとコンテンツ情報を当該端末ＩＤに該当する端末３、つまり、元の端末３に送信する（ステップＳ２９）。なお、送信方法については、ポーリングの場合と同様であり、電界が用いられる。
【００４６】
端末３は、送信されたコンテンツ情報をコンテンツキャッシュＤＢ３１１に記憶させ、コンテンツを再生させる（ステップＳ３１）。ここでは、制御部３２は、与えられた端末ＩＤと、端末ＩＤ記憶部３１２に記憶された端末ＩＤとが同一か否かを判定し、同一の場合に限り、以下のことを行う。つまり、制御部３２は、コンテンツキャッシュＤＢ３１１において、与えられたコンテンツ情報内のコンテンツＩＤがあれば、そのコンテンツＩＤを含むコンテンツ情報をコンテンツキャッシュＤＢ３１１から削除する。そして、制御部３２は、与えられたコンテンツ情報をコンテンツキャッシュＤＢ３１１に記憶させつつ、コンテンツ情報内のコンテンツをアナログ信号に変換し、ヘッドホン４に送信してコンテンツを再生させる。
【００４７】
こうして、このユーザＵが、例えば、「大人かつ日本人」で「ある著名な絵画（展示物）の場所」にいる場合に、そのような属性と場所に応じたコンテンツ、つまり、その展示物についての詳細な日本語の音声コンテンツが再生され、ユーザＵはその利益を享受することができる。つまり、場所ごとおよびユーザごとのコンテンツをユーザのもつ端末３で再生できる。
【００４８】
また、端末３は、与えられた端末ＩＤと記憶された端末ＩＤの同一性を判定するので、このようなコンテンツの再生を、同一の場所にいるつまり同じ電極Ｐの上に立った複数のユーザの端末でも可能にすることができる。
【００４９】
さて、ステップＳ２３でＹＥＳと判定された場合、制御部２４は、送信された端末ＩＤとコンテンツ情報内のコンテンツＩＤと再生命令を、送信されたアドレスを宛先として、元のトランシーバ１に送信する（ステップＳ４１）。
【００５０】
また、制御部２４は、端末ＩＤとコンテンツＩＤと再生命令を送信したという事象を示す履歴情報を履歴ＤＢ２３に記憶させる。ここでは、制御部２４は、送信した端末ＩＤとコンテンツＩＤとタイムスタンプとを含む履歴情報を履歴ＤＢ２３に記憶させる。履歴情報にバージョン情報を含ませないことで、再生命令が送信されたことを後から知ることができる。
【００５１】
トランシーバ１は、送信された端末ＩＤとコンテンツＩＤと再生命令とを当該端末ＩＤに該当する元の端末３に送信する（ステップＳ４３）。なお、送信方法については、ポーリングなどの場合と同様であり、電界が用いられる。
【００５２】
端末３は、ステップＳ３１と同様に、与えられた端末ＩＤと記憶された端末ＩＤとが同一の場合に限り、以下のことを行う。つまり、再生命令が送信されたのなら、送信されたコンテンツＩＤを含むコンテンツ情報内のコンテンツを読み出して再生させる（ステップＳ５１）。ここでは、制御部３２が、送信されたコンテンツＩＤを含むコンテンツ情報内のコンテンツをコンテンツキャッシュＤＢ３１１から読み出しつつ、アナログ信号に変換し、ヘッドホン４に送信してコンテンツを再生させる。
【００５３】
こうして、コンテンツでなくその情報量より通常は少ない情報量の再生命令を端末３に送信し、記憶したコンテンツを再生命令により端末３が再生させることで、トランシーバ１の通信帯域を節約することができる。その結果、以下のような不都合、つまり、トランシーバ１の通信帯域が足りず、コンテンツの音声が途切れたり、再生できなくなるのを防止することができる。
【００５４】
さて、ステップＳ２１でＹＥＳと判定された場合、制御部２４は、送信された端末ＩＤと警報命令を、送信されたアドレスを宛先として、元のトランシーバ１に送信する（ステップＳ６１）。
【００５５】
また、制御部２４は、端末ＩＤと警報命令を送信したという事象を示す履歴情報を履歴ＤＢ２３に記憶させる。ここでは、制御部２４は、送信した端末ＩＤと、タイムスタンプとを含む履歴情報を履歴ＤＢ２３に記憶させる。履歴情報にコンテンツＩＤとバージョン情報を含ませないことで、警報命令が送信されたこと、つまりは、ユーザＵが柵１００に触れたことを後から知ることができる。また、タイムスタンプにより、ユーザＵが柵１００に触れた時刻を後から知ることができる。また、入り口などで、端末ＩＤとユーザＵの名前を対応づけ記録しておけば、柵１００に触れたユーザＵの名前を後から知ることができる。
【００５６】
トランシーバ１は、送信された端末ＩＤと警報命令を当該端末ＩＤに該当する元の端末３に送信する（ステップＳ６３）。なお、送信方法については、ポーリングなどの場合と同様であり、電界が用いられる。
【００５７】
制御部３２は、ステップＳ３１などと同様に、与えられた端末ＩＤと記憶された端末ＩＤとが同一の場合に限り、以下のことを行う。つまり、警報命令が送信されたのなら、例えば、ビープ音を再生させる（ステップＳ７１）。ここでは、制御部３２が、ビープ音のアナログ信号を生成し、ヘッドホン４に送信してビープ音を再生させる。
【００５８】
こうして、ビープ音を再生することで、重要な展示物の破損などを防止することができる。
【００５９】
制御部３２は、好ましくは、コンテンツの再生よりもビープ音の再生を優先させる。制御部３２は、例えば、コンテンツの読み出し再生している時に警報命令が送信されたら、再生を止めて、ビープ音を再生させる。また、時分割によりコンテンツの送信中でも警報命令を送信できるようにし、制御部３２は、コンテンツを受信し再生している時に警報命令が送信されたら、再生を止めて、ビープ音を再生させる。なお、ビープ音に代えて、言葉による警報の音声を再生させてもよい。
【００６０】
以上説明したように、本実施の形態によれば、トランシーバの場所を訪れたユーザの身につけられた端末の発振回路が、端末ＩＤと属性ＩＤとに応じた波形の電圧を端末の電極に印加し、トランシーバの検出回路が、端末ＩＤとユーザの属性ＩＤとに基づく電圧が、端末の電極に印加され、ユーザと大地との間に電界が生じたとき、ユーザが同じ場所の電極に容量結合していることで、電界の一部が経由する同じ場所の電極の電圧により、端末ＩＤと属性ＩＤとを検出し、トランシーバの制御部が、端末ＩＤと属性ＩＤとトランシーバのアドレスとをサーバに送信し、サーバの制御部が、コンテンツデータベースからアドレスと属性ＩＤとに対応づけられたコンテンツ情報を読み出し、端末情報データベースにおいて、コンテンツ情報内のコンテンツＩＤが、端末ＩＤに対応づけられているか否かを判定し、対応づけられていないと判定された場合、端末ＩＤとコンテンツ情報とをアドレスを宛先として送信し、端末情報データベースにおいて、コンテンツＩＤを、端末ＩＤに対応づけ、対応づけられていると判定された場合、端末ＩＤとコンテンツ情報内のコンテンツＩＤと再生命令とをアドレスを宛先として送信し、トランシーバの発振回路が、送信されたものに応じた波形の電圧を同じ場所の電極に印加し、端末の検出回路が、トランシーバにより送信されるものに基づく電圧が、場所の電極に印加され、ユーザと大地との間に電界が生じたとき、ユーザが端末の電極に容量結合していることで、電界の一部が経由する電極の電圧により、送信されるもの検出し、端末の制御部が、検出回路により端末ＩＤとコンテンツ情報とが検出され、端末ＩＤが端末ＩＤ記憶部に記憶されたものである場合、コンテンツ情報をコンテンツキャッシュデータベースに記憶させ、コンテンツ情報内のコンテンツを再生させる一方、検出回路により端末ＩＤとコンテンツＩＤと再生命令とが検出され、端末ＩＤが端末ＩＤ記憶部に記憶されたものである場合、コンテンツＩＤを含むコンテンツ情報内のコンテンツをコンテンツキャッシュデータベースから読み出して再生させることで、場所ごとおよびユーザごとのコンテンツをユーザのもつ端末で再生できしかもそれが同一の場所にいる複数のユーザの端末でも可能でありしかも各場所に設けられたトランシーバの通信帯域を節約できる。
【００６１】
また、サーバの制御部が、コンテンツデータベースからアドレスと属性ＩＤとに対応づけられたコンテンツ情報を読み出し、端末情報データベースにおいて、コンテンツ情報内のコンテンツＩＤとバージョン情報とが、端末ＩＤに対応づけられているか否かを判定し、対応づけられていないと判定された場合、端末ＩＤとコンテンツ情報とをアドレスを宛先として送信し、端末情報データベースにおいて、コンテンツＩＤとバージョン情報とを、端末ＩＤに対応づけ、対応づけられていると判定された場合、端末ＩＤとコンテンツ情報内のコンテンツＩＤと再生命令とをアドレスを宛先として送信することで、バージョン情報により管理されるコンテンツをユーザのもつ端末で再生できしかもそれが同一の場所にいる複数のユーザの端末でも可能でありしかも各場所に設けられたトランシーバの通信帯域を節約できる。
【００６２】
また、サーバは、トランシーバに送信した端末ＩＤとコンテンツＩＤとタイムスタンプを含む履歴情報が記憶される履歴データベースを備え、サーバの制御部は、トランシーバに送信した端末ＩＤとコンテンツＩＤとタイムスタンプを含む履歴情報を履歴データベースに記憶させることで、かかる事象を後から知ることができる。
【００６３】
また、コンテンツデータベースは、同一のアドレスに対応づけられたコンテンツ情報である警報命令を含み、サーバの制御部は、警報命令を読み出した場合、端末ＩＤと警報命令とをアドレスを宛先として送信し、端末の制御部は、端末ＩＤと警報命令とが検出され、端末ＩＤが端末ＩＤ記憶部に記憶されたものである場合、端末のユーザに警報を与えるように動作することで、例えば、重要な展示物の破損などを防止することができる。
【図面の簡単な説明】
【００６４】
【図１】本実施の形態に係るコンテンツ再生システムの構成図である。
【図２】トランシーバ１の構成図である。
【図３】サーバ２の構成図である。
【図４】図４（ａ）は、各端末３の構成図であり、図４（ｂ）は、メモリ３１の構成図である。
【図５】本実施の形態に係るコンテンツ再生方法のシーケンス図である。
【符号の説明】
【００６５】
１…トランシーバ
２…サーバ
３…端末
４…ヘッドホン
１１…メモリ
１２、２４、３２…制御部
１３、３３…発振回路
１４、３５…検出回路
２１…コンテンツデータベース
２２…端末情報データベース
２３…履歴データベース
３１…メモリ
３４、Ｐ…電極
３１１…コンテンツキャッシュデータベース
３１２…端末ＩＤ記憶部
３１３…属性ＩＤ記憶部
Ｅ…展示物
Ｕ…ユーザ
【図１】
2009224837.tif 000003
【図２】
2009224837.tif 000004
【図３】
2009224837.tif 000005
【図４】
2009224837.tif 000006
【図５】
2009224837.tif 000007